(57)【要約】【課題】  ヒドロフルオロカーボンとフルオロエーテルからなる、特に冷媒として有用な組成物を提供する。【解決手段】  HFC-32と、式CaFbH2a+2-bO（式中、ａ＝２又は３そしてｂ＝３、４、６、７、又は８そしてａ＝３の場合ｂ＝５）の環式又は非環式のヒドロフルオロエーテル、CF3OCF2OCF3、125E、C216E2、227caEαβ、227caEβγ、227eaE又は236faE等からなる組成物。【選択図】  なし【特許請求の範囲】
【請求項１】
共沸又は共沸様組成物を形成するために有効な量のHFC-32（ジフルオロメタン）と、C216E2（2,2,4,4,5,5-ヘキサフルオロ-1,3-ジオキソラン）、227caEαβ（1-トリフルオロメトキシ-1,1,2,2-テトラフルオロエタン）、227caEβγ（ジフルオロメトキシペンタフルオロエタン）、227eaE（1-トリフルオロメトキシ-1,2,2,2-テトラフルオロエタン）及び236faE（1-トリフルオロメトキシ-2,2,2-トリフルオロエタン）からなる群より選択される一種のヒドロフルオロエーテルからなる共沸または共沸様組成物。
【請求項２】
HFC-32（ジフルオロメタン）と、一種のヒドロフルオロエーテルからなる共沸または共沸様組成物であって、該組成物が、
約1.0〜約70.0重量％のHFC-32（ジフルオロメタン）と約99.0〜約30.0重量％のC216E2（2,2,4,4,5,5-ヘキサフルオロ-1,3-ジオキソラン）、約1.0〜約61.0重量％のHFC-32（ジフルオロメタン）と約99.0〜約39.0重量％の227caEαβ（1-トリフルオロメトキシ-1,1,2,2-テトラフルオロエタン）、約1.0〜約67.0重量％のHFC-32（ジフルオロメタン）と約99.0〜約33.0重量％の227caEβγ（ジフルオロメトキシペンタフルオロエタン）、約1.0〜約68.0重量％のHFC-32（ジフルオロメタン）と約99.0〜約32.0重量％の227eaE（1-トリフルオロメトキシ-1,2,2,2-テトラフルオロエタン）及び約1.0〜約55.0重量％のHFC-32（ジフルオロメタン）と約99.0〜約45.0重量％の236faE（1-トリフルオロメトキシ-2,2,2-トリフルオロエタン）、
以上の組み合せからなる群より選択されることを特徴とする共沸または共沸様組成物。
【請求項３】
HFC-32（ジフルオロメタン）と、一種のヒドロフルオロエーテルからなる共沸または共沸様組成物であって、該組成物が、
約25℃で蒸気圧約272.4 psia(1878 kPa)において64.0重量％のHFC-32（ジフルオロメタン）と36.0重量％のC216E2（2,2,4,4,5,5-ヘキサフルオロ-1,3-ジオキソラン）、約25℃で蒸気圧約253.4 psia(1747 kPa)において82.1重量％のHFC-32（ジフルオロメタン）と17.9重量％の227caEαβ（1-トリフルオロメトキシ-1,1,2,2-テトラフルオロエタン）、約25℃で蒸気圧約269.7 psia(1859 kPa)において71.6重量％のHFC-32（ジフルオロメタン）と28.4重量％の227caEβγ（ジフルオロメトキシペンタフルオロエタン）、約25℃で蒸気圧約272.2 psia(1877 kPa)において70.0重量％のHFC-32（ジフルオロメタン）と30.0重量％の227eaE（1-トリフルオロメトキシ-1,2,2,2-テトラフルオロエタン）、及び約25℃で蒸気圧約248.6 psia(1714 kPa)において91.5重量％のHFC-32（ジフルオロメタン）と8.5重量％の236faE（1-トリフルオロメトキシ-2,2,2-トリフルオロエタン）、
以上の組み合せからなる群より選択されることを特徴とする共沸または共沸様組成物。
【請求項４】
(a) 式CaFbH2a+2-bO（式中、ａ＝２又は３そしてｂ＝３、４、６、７、又は８そしてａ＝３の場合ｂ＝５）の環式又は非環式のヒドロフルオロエーテル（但し、116E（ヘキサフルオロジメチルエーテル）、125E（ペンタフルオロジメチルエーテル）、143aE（トリフルオロメチルメチルエーテル）及び218E（ペルフルオロメチルエチルエーテル）は除く）又は、CF3OCF2OCF3と、
(b) HFC-32（ジフルオロメタン）
からなる冷媒組成物。
【請求項５】
１〜49重量％の125E（ペンタフルオロジメチルエーテル、CHF2OCF3）と51〜99重量％のHFC-32（ジフルオロメタン）からなる冷媒組成物。
【請求項６】
請求項１〜５のいずれか１項に記載の組成物を凝縮させ、次いで冷却すべき物体の付近
で該組成物を蒸発させることにより冷却を作る方法。
【発明の詳細な説明】
【発明の分野】
【０００１】
本発明は少なくとも１つのフルオロエーテル及び少なくとも１つのヒドロフルオロカーボンを含む組成物に関する。そのような組成物は冷媒、清浄剤、ポリオレフィン及びポリウレタン用膨脹剤、エーロゾル噴射剤、伝熱媒体、ガス状誘電体、消火剤、動力循環作動流体、重合反応媒質、粒子除去用流体、キャリアー流体、バフ研磨剤、置換乾燥剤及びガス滅菌剤用キャリアーとして使用することができる。
【０００２】
本発明に含まれるのは、ヒドロフルオロカーボンのハロカーボン地球温暖化ポテンシャル（HGWP）がフルオロエーテルをこのヒドロフルオロカーボンに添加することによって低められた、フルオロエーテル及びヒドロフルオロカーボンを含む組成物である。又、本発明に含まれるのは共沸又は共沸様混合物であるフルオロエーテル及びヒドロフルオロカーボンの組成物である。
【発明の背景】
【０００３】
フッ素化炭化水素は多くの用途を持つが、その一つは冷媒としての用途である。そのような冷媒にジクロロジフルオロメタン（CFC-12）及びクロロジフルオロメタン（HCFC-22）がある。
【０００４】
近年、大気中に放出されるある種のクロロフルオロカーボン(CFC）及びヒドロクロロフルオロカーボン（HCFC）冷媒がオゾン層に有害な影響を与えることが云われている。この主張はまだ完全に立証されていないが、国際的な合意の下にある種のCFC及びHCFCの使用と生産の抑制に向かう動きがある。
【０００５】
オゾン減損の可能性の問題に取り組むため、クロロフルオロカーボン冷媒及びヒドロクロロフルオロカーボン冷媒をヒドロフルオロカーボン冷媒で置き換えることが提唱されている。ヒドロフルオロカーボン(HFC）冷媒は塩素を含まないのでそれらのオゾン減損の可能性は皆無である。
【０００６】
もう一つの環境上の関心は「温室効果」におけるCFCの役割である。この温室効果とは、可視光に対して比較的透過性で日光の地球への到達を許容する大気圏ガスが、地球の放出する赤外線を吸収して熱を捕捉することによって起こる地球気候の温暖化のことである。
【０００７】
現在においては、CFCのようなガスの放出についてすべての関連する要因を単一の地球温暖化ポテンシャルに組み合わせるための普遍的に受け入れられる方法論はない。一つの取り組み方は化合物の温室効果を、既知の標準に関連して地球温暖化を高める能力によって定義することである。そのような定義の一つは、ハロカーボン地球温暖化ポテンシャル（HGWP）として知られるものであり、これは大気中のガスの寿命を超えるガスの放出の結果生じる漸増放射温暖化を、同量の基準ガスCFC-11の放出によって生じる温暖化の計算値に対する比率で表わしたものである。
【０００８】
HFCはオゾン減損能力が皆無のことがあるが、HFCのある物は望ましくなくそして政府による規制の対象になり得るHGWPを持つこともある。従って、低いオゾン減損能力を持つ一方、同時に低いHGWPを持つ冷媒の開発が求められている。
【０００９】
一つより多い成分を含む冷媒は冷却装置から漏れるか又は放出された場合冷媒組成が変わらないように共沸又は共沸様混合物であるのが好ましい。冷媒の組成における変化は性能又は可燃性のような特性に影響を与えることがあり得る。
【００１０】
低いオゾン減損能力及び／又は低いHGWPを持ち及び／又は共沸又は共沸様混合物である組成物は清浄剤、独立気泡ポリウレタン、フェノール樹脂及び熱可塑性樹脂フォームの製造における発泡剤として、エーロゾルの噴射剤として、伝熱媒体、ガス状誘電体、消火剤、例えばヒートポンプ用などの動力作動流体、重合反応用不活性媒質、金属表面から粒子を除去するための流体として、例えば金属表面に潤滑剤の薄膜を置くために使用されるキャリアー流体として、又は例えば金属などの表面からバフ研磨用配合物を除くためのバフ研磨剤として、水を例えば宝石又は金属部品から除去するための置換乾燥剤として、塩素型現像剤を含む慣用的な回路製造方法におけるレジスト現像剤として、そして例えば1,1,1−トリクロロエタン又はトリクロロエチレンのようなクロロヒドロカーボンと一緒に使用する場合のホトレジスト用ストリッパーとして使用することも望ましいことである。
【００１１】
発明の概要
本発明はフルオロエーテル及びヒドロフルオロカーボンを含む組成物に関する。本発明に含まれるのは式CaFbH2a+2-bOc(式中、ａ＝２又は３そして３≦ｂ≦８そしてｃ＝１又は２）の環式又は非環式のヒドロフルオロエーテル、及びCnHmH2n+2-m(式中、１≦ｎ≦４及び１≦ｍ≦８）のヒドロフルオロカーボンの混合物である。そのような組成物は冷媒、清浄剤、ポリオレフィン及びポリウレタン用膨脹剤、エーロゾル噴射剤、伝熱媒体、ガス状誘電体、消火剤、動力循環作動流体、重合反応媒質、粒子除去用流体、キャリアー流体、バフ研磨剤及び置換乾燥剤として使用することができる。
【００１２】
本発明のもう一つの態様は、ヒドロフルオロカーボンのHGWPは、ヒドロフルオロカーボンにそのHGWPより低いHGWPのフルオロエーテルを添加することにより低くすることができるという発見に関連する。従って、本発明はヒドロフルオロカーボンを含む第一の成分及び第一の成分のHGWPより低いHGWPのフルオロエーテルを含む第二の成分の組成物であって、それにより組成物のHGWPは第一の成分のHGWPより低い前記組成物に関する。
【００１３】
又、本発明に含まれるのは共沸又は共沸様混合物であるフルオロエーテル及びヒドロフルオロカーボンを含む組成物である。
【００１４】
詳細な説明
本発明はフルオロエーテル及びヒドロフルオロカーボン(HFC）を含む組成物に関する。本発明に含まれるのは式CaFbH2a+2-bOc(式中、ａ＝２又は３そして３≦ｂ≦８そしてｃ＝１又は２）の環式又は非環式のヒドロフルオロエーテル、及びCnHmH2n+2-m(式中、１≦ｎ≦４及び１≦ｍ≦８）のヒドロフルオロカーボンの混合物である。これらの組成物は冷媒、清浄剤、ポリオレフィン及びポリウレタン用膨脹剤、エーロゾル噴射剤、伝熱媒体、ガス状誘電体、消火剤、動力循環作動流体、重合反応媒質、粒子除去用流体、キャリアー流体、バフ研磨剤及び置換乾燥剤として使用することができる。
【００１５】
本発明に含まれるフルオロエーテルは２又は３個の炭素原子を持つ。そのようなフルオロエーテルの例は次の化合物を含む。
1.  ヘキサフルオロジメチルエーテル（116E，又はCF3OCF3，沸点＝−59.0℃）、
2.  ペンタフルオロジメチルエーテル（125E，又はCHF2OCF3，沸点＝−36.2℃）、
3.  ビス(ジフルオロメチル）エーテル（134E，又はCHF2OCHF2，沸点＝５℃）、
4.  フルオロメチルトリフルオロメチルエーテル(134aE，又はCH2FOCF3，沸点＝−20.0℃）、
5.  トリフルオロメチルメチルエーテル（143aE，又はCH3OCF3，沸点＝−24.2℃）、
6.  ペルフルオロオキセタン（C-216E，又は
【化１】
2005226075.tif 000002
沸点＝−29.2℃）、
7.  2,2,4,4,5,5−ヘキサフルオロ−1,3−ジオキソラン(C-216E2，又はC3F6O2，下記構造
【化２】
2005226075.tif 000003
を持ち、沸点＝−22.1℃）、
8.  ペルフルオロメチルエチルエーテル（218E，又はCF3OCF2CF3，沸点＝−23.3℃）、
9.  ペルフルオロジメトキシメタン（218E2，又はCF3OCF2OCF3，沸点＝−10.2℃）、
10．2,2,3,4,4−ペンタフルオロオキセタン（C-225eEαβ，又はC3HF5O，下記構造
【化３】
2005226075.tif 000004
を持ち、沸点＝3.4℃）、
【００１６】
11．１−トリフルオロメトキシ−1,1,2,2−テトラフルオロエタン（227caEαβ，又はCF3OCF2CHF2，沸点＝約−３℃）、
12．ジフルオロメトキシペンタフルオロエタン（227caEβγ，又はCHF2OCF2CF3，沸点＝−8.0℃）、
13．１−トリフルオロメトキシ−1,2,2,2−テトラフルオロエタン（227eaE，又はCF3OCHFCF3，沸点＝−9.4℃）、
14．2,2,4,4−テトラフルオロオキセタン（C-234fEαβ，又はC3H2F4O，下記構造
【化４】
2005226075.tif 000005
を持ち、沸点＝21.2℃）、
15．2,2,3,3−テトラフルオロオキセタン（C-234fEβγ，又はC3H2F4O，下記構造
【化５】
2005226075.tif 000006
を持ち、沸点＝28℃）、
16．１−ジフルオロメトキシ−1,1,2,2−テトラフルオロエタン(236caE，又はCHF2OCF2CHF2，沸点＝28.5℃）、
17．１−ジフルオロメトキシ−1,2,2,2−テトラフルオロエタン(236eaEβγ，又はCHF2OCHFCF3，沸点＝23.2℃）、
18．１−トリフルオロメトキシ−2,2,2−トリフルオロエタン（236faE，又はCF3OCH2CF3，沸点＝5.6℃）、
19．１−ジフルオロメトキシ−2,2,2−トリフルオロエタン(245faEβγ，又はCHF2OCH2CF3，沸点＝29℃）。
【００１７】
116E（CAS登録番号1479-49-8）はSimons により米国特許2,519,983に開示されているようにジメチルエーテルの電気化学的フッ素化により製造されている。
125E（CAS登録番号3822-68-2）はFox等により米国特許3,511,760に、そしてHutchinsonにより米国特許3,887,439に開示されているようにジメチルエーテル(CH3OCH3）の電気化学的フッ素化により製造されている。
134E(CAS登録番号1691-17-4）はO'NeillによりGB 2,248,617に開示されているように三フッ化アンチモンをCHF2OCHCl2と反応させることにより製造されうる。
134aE（CAS登録番号2261-01-0）はBerenblit等，Zh. Org. Khim．（1976年）, 12巻, 767〜770ページにより報告されているようにメチル  ２−メトキシプロピオネートの電気化学的フッ素化により製造されている。
【００１８】
143aE（CAS登録番号421-14-7）はAldrich及びSheppard, J. Am. Chem. Soc. (1964年）, 29巻, 11〜15ページにより報告されているようにメチル・フルオロホルメートを四フッ化硫黄と反応させることにより製造されている。
C-216E（CAS登録番号425-82-1）はKauck及びSimonsにより米国特許2,594,272に開示されているように無水フッ化水素中におけるトリメチレンオキシド(オキセタン)の電気化学的フッ素化により製造することができる。
C-216E2(CAS登録番号21297-65-4）はThrockmortonによりJ. Org．Chem.(1969年）, 34巻, 3438〜3440ページに報告されているようにペルフルオロ−ｂ−オキサ−ｄ−バレロラクトンの蒸気相又は液相における紫外線照射により製造した。ラクトンはＫＦのペルフルオロオキシジアセチルクロリドとの反応により製造されている。
218E（CAS登録番号665-16-7）はSekiya及びUedaによりChemistryLetters (1990年), 609〜612ページに報告されているようにCF3OCH2CF3(CF3OFとフッ化ビニリデンとの反応により製造される）の直接フッ素化により製造されている。
【００１９】
218E2(CAS登録番号53772-78-4）はBerenblit等，Zh. Org. Khim．(1976年), 12巻, 767ページにより報告されているようにメチル  ２−メトキシプロピオネートの電気化学的フッ素化により製造されている。
C-225eEαβ（CAS登録番号144109-03-5）はLagow及びMargraveによりProgress in Inorganic Chemistry (1979年), 26巻, 161〜210ページに、又はAdcock及びCherryによりInd. Eng. Chem. Res.(1987年), 26巻, 208〜215ページに記述された方法を使用してトリメチレンオキシド(シクロ−CH2CH2CH2O−）の直接フッ素化により製造されうる。直接フッ素化は出発物質への所望の水準のフッ素導入を行い、そして生成物は分画蒸留により収得された。
227caEαβ（CAS登録番号2356-61-8）はEisemannにより米国特許3,362,190に開示されているようにフッ化ジフルオロアセチルをフッ化セシウム及びフッ化カルボニルと反応させ、次いで四フッ化硫黄で処理して製造されている。
【００２０】
227caEβγ（CAS登録番号53997-64-1）はOkazaki等，J.Fluorine Chem.(1974年）, 4巻, 387〜397ページにより報告されているようにCHCl2OCF2CHClFの電気化学的フッ素化により製造されている。
227eaE(CAS登録番号2356-62-9）はEisemannにより米国特許3,362,190に開示されているように２−トリフルオロメトキシ−テトラフルオロプロピオニルフルオリド（CF3CF(OCF3)COF）を水性水酸化カリウムと230℃で反応させることにより製造されている。
C-234fEαβはLagow及びMargraveによりProgress in Inorganic Chemistry (1979年), 26巻, 161〜210ページに、又はAdcock及びCherryによりInd. Eng. Chem. Res. (1987年）, 26巻, 208〜215ページに記述された方法を使用してトリメチレンオキシド（シクロ−CH2CH2CH2O−）の直接フッ素化により製造される。直接フッ素化は出発物質への所望の水準のフッ素導入を行い、そして生成物は分画蒸留により収得された。
C-234fEβγ(CAS登録番号765-63-9）はWeinmayr, J. Org. Chem．(1963年）, 28巻, 492〜494ページによりHE中でTFEのホルムアルデヒドとの反応による副生物として製造されている。
【００２１】
236caE(CAS登録番号32778-11-3)はTerrell等によりJ. Medicinal Chem.(1972年), 15巻, 604〜606ページに報告されているように無水フッ化水素を五塩化アンチモン触媒と一緒に使用するCHCｌ2OCF2CHF2(CH3OCF2CHF2)の塩素化により製造した）のフッ素化により製造されている。
236eaEβγ(CAS登録番号57041-67-5）はHalpern及びRebinにより米国特許4,888,139に開示されているようにメトキシアセチルクロリドを塩素化して中間物質CHCｌ2OCHCｌCOCｌを生成させ、これを単離し、そして四フッ化硫黄と150℃で反応させて生成物を得ることにより製造されている。
236faE（CAS登録番号20193-67-3）はEisemannにより米国特許3,394,878に開示されているように2,2,2−トリフルオロエタノールとカルボニルフルオリドとを反応させて中間物質CH3CH2OCOFを生成させ、これを次に四フッ化硫黄と150〜200℃で反応させて生成物を得ることにより製造されている。
245faEβγ（CAS登録番号1885-48-9）はCroixにより米国特許3,637,477に開示されているように、クロオジフルオロメタンとトリフルオロエタノールとを水酸化カリウムの存在下で反応させることにより製造されている。
【００２２】
フルオロエーテルと組み合わせることができるＨＦＣは次の化合物の一つ又はそれより多くを含む。
ジフルオロメタン（HFC-32）、フルオロメタン（HFC-41）、ペンタフルオロエタン（HFC-125）、1,1,2,2−テトラフルオロエタン(HFC-134）、1,1,1,2−テトラフルオロエタン（HFC-134a）、1,1,2−トリフルオロエタン（HFC-143）、1,1,1−トリフルオロエタン(HFC-143a）、1,1−ジフルオロエタン（HFC-152a）、フルオロエタン（HFC-161）、1,1,1,2,2,3,3−ヘプタフルオロプロパン（HFC-227ca）、1,1,1,2,3,3,3−ヘプタフルオロプロパン(HFC-227ea)、1,1,1,3,3,3−ヘキサフルオロ−プロパン（HFC-236fa）、1,1,2,2,3,3−ヘキサフルオロプロパン(HFC-236ca）、1,1,1,2,2,3−ヘキサフルオロプロパン（HFC-236cb）、1,1,2,2,3−ペンタフルオロプロパン（HFC-245ca）、1,1,1,2,2−ペンタフルオロプロパン（HFC-245cb）、1,1,2,3,3−ペンタフルオロプロパン(HFC-245ea）、1,1,1,3,3−ペンタフルオロプロパン(HFC-245fa）、1,2,2,3−テトラフルオロプロパン（HFC-254ca）、1,1,2,2−テトラフルオロプロパン(HFC-254cb）、1,1,1,2−テトラフルオロプロパン(HFC-254eb)、1,2,2−トリフルオロプロパン(HFC-263ca）、1,1,1−トリフルオロプロパン(HFC-263fb）、2,2−ジフルオロプロパン（HFC-272ca）、1,2−ジフルオロプロパン(HFC-272ea）、1,1−ジフルオロプロパン（HFC-272fb）、２−フルオロプロパン（HFC-281ea）、１−フルオロプロパン（HFC-281fa）、1,1,1,3,3,4,4,4−オクタフルオロブタン（HFC-338mf）、1,1,1,4,4,4−ヘキサフルオロブタン(HFC-356mff）、又は(CF3)2CHCH3(HFC-356mmz)。
【００２３】
次の組成物は冷媒として使用することができる式CaFbH2a+2-bOc（式中、ａ＝２又は３そして３≦ｂ≦８そしてＣ＝１又は２）の環式又は非環式のヒドロフルオロエーテル及びCnFmH2n+2-m(式中、１≦ｎ≦４及び１≦ｍ≦８）のヒドロフルオロカーボンの組成物である。そのような組成物の例は次の通りである。
【００２４】
１〜99重量％の116E及び１〜99重量％のHFC-32，HFC-41，HFC-125，HFC-134，HFC-134a，HFC-143，HFC-143a，HFC-152a、HFC-161，HFC-227ca，HFC-227ea，HFC-236ca，HFC-236cb，HFC-236ea，HFC-236fa，HFC-245ca，HFC-245cb，HFC-245ea，HFC-245fa，HFC-254ca，HFC-254cb，HFC-254eb，HFC-263ca，HFC-263fb，HFC-272ca，HFC-272ea，HFC-272fb，HFC-281ea，又はHFC-281fa。
【００２５】
１〜99重量％の125E及び１〜99重量％のHFC-32，HFC-125，HFC-134，HFC-134a，HFC-143，HFC-143a，HFC-152a、HFC-161，HFC-227ca，HFC-227ea，HFC-236ca，HFC-236cb，HFC-236fa，HFC-245ca，HFC-245cb，HFC-245ea，HFC-245fa，HFC-254ca，HFC-254cb，HFC-254eb，HFC-263ca，HFC-263fb，HFC-272ca，HFC-272ea，HFC-272fb，HFC-281ea，又はHFC-281fa。
【００２６】
１〜99重量％の134E及び１〜99重量％のHFC-32，HFC-125，HFC-134，HFC-134a，HFC-143，HFC-143a，HFC-152a、HFC-161，HFC-227ca，HFC-227ea，HFC-236ca，HFC-236cb，HFC-236ea，HFC-236fa，HFC-245ca，HFC-245cb，HFC-245ea，HFC-245fa，HFC-254ca，HFC-254cb，HFC-254eb，HFC-263ca，HFC-263fb，HFC-272ca，HFC-272ea，HFC-272fb，HFC-281ea，HFC-281fa，HFC-338mf又は356mff。
【００２７】
１〜99重量％の134aE及び１〜99重量％のHFC-32，HFC-125，HFC-134，HFC-134a，HFC-143，HFC-143a，HFC-152，HFC-152a、HFC-161，HFC-227ca，HFC-227ea，HFC-236ca，HFC-236cb，HFC-236fa，HFC-245ca，HFC-245cb，HFC-245ea，HFC-245fa，HFC-254ca，HFC-254cb，HFC-254eb，HFC-263ca，HFC-263fb，HFC-272ca，HFC-272ea，HFC-272fb，HFC-281ea，又はHFC-281fa。
【００２８】
１〜99重量％の143aE及び１〜99重量％のHFC-32，HFC-125，HFC-134，HFC-134a，HFC-143，HFC-143a，HFC-152a、HFC-161，HFC-227ca，HFC-227ea，HFC-236ca，HFC-236cb，HFC-236fa，HFC-245ca，HFC-245cb，HFC-245ea，HFC-245fa，HFC-254ca，HFC-254cb，HFC-25
4eb，HFC-263ca，HFC-263fb，HFC-272ca，HFC-272ea，HFC-272fb，HFC-281ea，又はHFC-281fa。
【００２９】
１〜99重量％のC216E及び１〜99重量％のHFC-32，HFC-125，HFC-134，HFC-134a，HFC-143，HFC-143a，HFC-152a、HFC-161，HFC-227ca，HFC-227ea，HFC-236ca，HFC-236cb，HFC-236fa，HFC-245ca，HFC-245cb，HFC-245ea，HFC-245fa，HFC-254ca，HFC-254cb，HFC-254eb，HFC-263ca，HFC-263fb，HFC-272ca，HFC-272ea，HFC-272fb，HFC-281ea，又はHFC-281fa。
【００３０】
１〜99重量％のC-216E2及び１〜99重量％のHFC-32，HFC-134，HFC-134a，HFC-143，HFC-152a、HFC-161，又はHFC-245cb。
【００３１】
１〜99重量％の218E及び１〜99重量％のHFC-32,HFC-125，HFC-134，HFC-134a，HFC-143，HFC-143a，HFC-152a、HFC-161，HFC-227ca，HFC-227ea，HFC-236ca，HFC-236cb，HFC-236fa，HFC-245ca，HFC-245cb，HFC-245ea，HFC-245fa，HFC-254ca，HFC-254cb，HFC-254eb，HFC-263ca，HFC-263fb，HFC-272ca，HFC-272ea，HFC-272fb，HFC-281ea，又はHFC-281fa。
【００３２】
１〜99重量％の218E２及び１〜99重量％のHFC-32，HFC-125，HFC-134，HFC-134a，HFC-143，HFC-143a，HFC-152a、HFC-161，HFC-227ca，HFC-227ea，HFC-236ca，HFC-236cb，HFC-236fa，HFC-245ca，HFC-245cb，HFC-245ea，HFC-245fa，HFC-254ca，HFC-254cb，HFC-254eb，HFC-263ca，HFC-263fa，HFC-263fb，HFC-272ca，HFC-272ea，HFC-272fb，HFC-281ea，又はHFC-281fa。
【００３３】
１〜99重量％のC-225eEαβ及び１〜99重量％のHFC-143，HFC-236cb，HFC-236ea，又はHFC-245cb。
【００３４】
１〜99重量％の227caEαβ及び１〜９9重量％のHFC-32，HFC-125，HFC-134，HFC-134a，HFC-143，HFC-143a，HFC-152a，HFC-161，HFC-227ca，HFC-227ea，HFC-236ca，HFC-236cb，HFC-236fa，HFC-245ca，HFC-245cb，HFC-245ea，HFC-245fa，HFC-254ca，HFC-254cb，HFC-254eb，HFC-263ca，HFC-263fb，HFC-272ca，HFC-272ea，HFC-272fb，HFC-281ea，又はHFC-281fa。
【００３５】
１〜99重量％の227caEβγ及び１〜99重量％のHFC-32，HFC-125，HFC-134，HFC-134a，HFC-143，HFC-143a，HFC-152a，HFC-161，HFC-227ca，HFC-227ea，HFC-236ca，HFC-236cb，HFC-236fa，HFC-245ca，HFC-245cb，HFC-245ea，HFC-245fa，HFC-254ca，HFC-254cb，HFC-254eb，HFC-263ca，HFC-263fb，HFC-272ca，HFC-272ea，HFC-272fb，HFC-281ea，又はHFC-281fa。
【００３６】
１〜99重量％の227eaE及び１〜99重量％のHFC-32，HFC-125，HFC-134，HFC-134a，HFC-143，HFC-143a，HFC-152a，HFC-161，HFC-227ca，HFC-227ea，HFC-236ca，HFC-236cb，HFC-236fa，HFC-245ca，HFC-245cb，HFC-245ea，HFC-245fa，HFC-254ca，HFC-254cb，HFC-254eb，HFC-263ca，HFC-263fb，HFC-272ca，HFC-272ea，HFC-272fb，HFC-281ea，又はHFC-281fa。
【００３７】
１〜99重量％のC-234fEαβ及び１〜99重量％のHFC-245cb，HFC-245eb，HFC-356mff又はHFC-356mmz。
【００３８】
１〜99重量％のC-234fEβγ及び１〜99重量％のHFC-245ca，HFC-245cb，HFC-245ea，HFC-254ca，HFC-356mff又はHFC-356mmz。
【００３９】
１〜99重量％の236caE及び１〜99重量％のHFC-125，HFC-134，HFC-134a，HFC-143，HFC-143a，HFC-152a，HFC-161，HFC-227ca，HFC-227ea，HFC-236ca，HFC-236cb，HFC-236fa，HFC-245ca，HFC-245cb，HFC-245ea，HFC-245fa，HFC-254ca，HFC-254cb，HFC-254eb，HFC-263ca，HFC-263fb，HFC-272ca，HFC-272ea，HFC-272fb，HFC-281ea，又はHFC-281fa。
【００４０】
１〜99重量％の236eaEβγ及び１〜99重量％のHFC-125，HFC-134，HFC-134a，HFC-143，HFC-143a，HFC-152a，HFC-161，HFC-227ca，HFC-227ea，HFC-236ca，HFC-236cb，HFC-236fa，HFC-245ca，HFC-245cb，HFC-245ea，HFC-245fa，HFC-254ca，HFC-254cb，HFC-254eb，HFC-263ca，HFC-263fb，HFC-272ca，HFC-272ea，HFC-272fb，HFC-281ea，HFC-281fa，HFC-338mf，HFC-356mff，又はHFC-356mmz。
【００４１】
１〜99重量％の236faE及び１〜99重量％のHFC-32，HFC-125，HFC-134，HFC-134a，HFC-143，HFC-143a，HFC-152a，HFC-161，HFC-227ca，HFC-227ea，HFC-236ca，HFC-236cb，HFC-236fa，HFC-245ca，HFC-245cb，HFC-245ea，HFC-245fa，HFC-254ca，HFC-254cb，HFC-254eb，HFC-263ca，HFC-263fb，HFC-272ca，HFC-272ea，HFC-272fb，HFC-281ea，又はHFC-281fa。
【００４２】
１〜99重量％の245faEβγ及び１〜99重量％のHFC-125，HFC-134，HFC-134a，HFC-143，HFC-143a，HFC-152a，HFC-161，HFC-227ca，HFC-227ea，HFC-236ca，HFC-236cb，HFC-236fa，HFC-245ca，HFC-245cb，HFC-245ea，HFC-245fa，HFC-254ca，HFC-254cb，HFC-254eb，HFC-263ca，HFC-263fb，HFC-272ca，HFC-272ea，HFC-272fb，HFC-281ea，HFC-281fa，又はHFC-356mff。
【００４３】
又、本発明は特定の温度及び圧力において共沸又は共沸様組成物を形成するために有用な量の共沸又は共沸様組成物の発見に関する。
【００４４】
116E及びHFC-32，HFC-41，HFC-125，HFC-134，HFC-134a，HFC-143，HFC-143a，HFC-152a又はHFC-161；125E及びHFC-32，HFC-134，HFC-134a，HFC-143，HFC-152a又はHFC-161；134E及びHFC-143，HFC-227ca，HFC-227ea，HFC-236ca，HFC-236cb，HFC-236ea，HFC-236fa，HFC-245cb，HFC-254cb，HFC-254eb，HFC-338mf又はHFC-356mff；134aE及びHFC-32，HFC-134，HFC-143，HFC-152a，HFC-227ca，HFC-227ea又はHFC-245cb；143aE及びHFC-32，HFC-134，HFC-143a，HFC-152a，HFC-227ca，HFC-227ea又はHFC-245cb；C216E及びHFC-134，HFC-134a，HFC-143，HFC-152a，HFC-161又はHFC-245cb；C216E2及びHFC-32，HFC-134，HFC-134a，HFC-143，HFC-152a，HFC-161又はHFC-245cb；218E及びHFC-134，HFC-134a，HFC-143，HFC-152a，HFC-161又はHFC-263fb；218E2及びHFC-134，HFC-134a，HFC-143，HFC-152a，HFC-161，HFC-236fa又はHFC-263fb；C-225eEαβ及びHFC-143，HFC-236cb，HFC-236ea又はHFC-245cb；227caEαβ及びHFC-32，HFC-143，HFC-245cb，HFC-272ca，HFC-281ea又はHFC-281fa；227caEβγ及びHFC-32，HFC-134，HFC-134a，HFC-143，HFC-152a，HFC-161，HFC-263fb，HFC-272ca，HFC-281ea又はHFC-281fa；227eaE及びHFC-32，HFC-134，HFC-134a，HFC-143，HFC-152a，HFC-161，HFC-263fb，HFC-272ca，HFC-281ea又はHFC-281fa；C-234fEαβ及びHFC-245cb，HFC-245eb，HFC-356mff又はHFC-356mmz；C-234fEβγ及びHFC-245ca，HFC-245cb，HFC-245ea，HFC-254ca，HFC-356mff又はHFC-356mmz；236caE及びHFC-143，HFC-245ca又はHFC-254ca；236eaEβγ及びHFC-143，HFC-245ca，HFC-263ca，HFC-338mf，HFC-356mff又はHFC-356mmz；又は236faE及びHFC-32，HFC-143，HFC-272ca，HFC-272fb又はHFC-281fa；245faEβγ及びHFC-356mff。
【００４５】
「共沸」組成物とは単一物質のように行動する２つ又はそれより多い物質の定沸点の液体混合物を意味する。共沸混合物の特徴の一つの表し方は、液体の部分蒸発又は蒸溜により生成する蒸気がそれが蒸発し又は蒸溜された元の液体と同じ組成であり、換言すれば、
蒸溜液／還流液の混合物に組成の変化がないということである。定沸点組成物はそれらが同じ成分の非共沸性混合物の沸点と比較した場合、最高又は最低沸点のいずれかを示すことから共沸性と特徴付けられる。
【００４６】
「共沸」様組成物とは単一物質のように行動する定沸点又は実質的に定沸点の２つ又はそれより多い物質の液体混合物を意味する。共沸混合物様組成物の特徴の一つの表し方は、液体の部分蒸発又は蒸溜により生成する蒸気はそれが蒸発又は蒸溜された元の液体と同じ組成であり、換言すれば、蒸溜液／還流液の混合物に実質的に組成の変化がないということである。
【００４７】
組成物の５０重量％が蒸発又は沸騰などにより除かれた後、元の組成と５０％除去後の組成との間の絶対単位で測定した蒸気圧の差が１０％より小さい場合、組成物は共沸様混合物であることがこの技術分野で認められている。絶対単位とは圧力の測定した大きさを意味し、例えばpsia、気圧、バール、トル、平方センチメートル当たりダイン、水銀柱のミリメートル、水柱のインチ及びこの技術分野でよく知られる他の同等の用語である。共沸混合物が存在する場合、元の組成物及び元の組成物の５０重量％が除かれた後残存する組成物の間に蒸気圧の差はない。
【００４８】
従って、有効量のフルオロエーテル及びHFCの組成物であって、元の組成物の５０重量％が蒸発又は沸騰により除かれて残存組成物が生じた後、元の組成物と残存組成物との間の蒸気圧の差が約１０％又はそれより小さい組成物は本発明に含まれる。そのような組成物の例は下記を含む。
【００４９】
116E及びHFC-32、HFC-41、HFC-125、HFC-134、HFC-134a、HFC-143、HFC-143a、HFC-152a又はHFC-161；125E及びHFC-32、HFC-134、HFC-134a、HFC-143、HFC-152a又はHFC-161；134E及びHFC-143、HFC-227ca、HFC-227ea、HFC-236ca、HFC-236cb、HFC-236ea、HFC-236fa、HFC-245cb、HFC-254cb、HFC-254eb、HFC-338mf又はHFC-356mff；134aE及びHFC-32、HFC-134、HFC-143、HFC-152a、HFC-227ca、HFC-227ea又はHFC-245cb；143aE及びHFC-32、HFC-134、HFC-143a、HFC-152a、HFC-227ca、HFC-227ea又はHFC-245cb；C216E及びHFC-134、HFC-134a、HFC-143、HFC-152a、HFC-161又はHFC-245cb；C216E2及びHFC-32、HFC-134、HFC-134a、HFC-143、HFC-152a、HFC-161又はHFC-245cb；218E及びHFC-134、HFC-134a、HFC-143、HFC-152a、HFC-161又はHFC-263fb；218E2及びHFC-134、HFC-134a、HFC-143、HFC-152a、HFC-161、HFC-236fa又はHFC-263fb；C-225eEαβ及びHFC-143、HFC-236cb、HFC-236ea又はHFC-245cb；227caEαβ及びHFC-32、HFC-143、HFC-245cb、HFC-272ca、HFC-281ea又はHFC-281fa；227caEβγ及びHFC-32、HFC-134、HFC-134a、HFC-143、HFC-152a、HFC-161、HFC-263fb、HFC-272ca、HFC-281ea又はHFC-281fa；227eaE及びHFC-32、HFC-134、HFC-134a、HFC-143、HFC-152a、HFC-161、HFC-263fb、HFC-272ca、HFC-281ea又はHFC-281fa；C-234fEαβ及びHFC-245cb、HFC-245eb、HFC-356mff又はHFC-356mmz；C-234fEβγ及びHFC-245ca、HFC-245cb、HFC-245ea、HFC-254ca、HFC-356mff又はHFC-356mmz；236caE及びHFC-143、HFC-245ca又はHFC-254ca；236eaEβγ及びHFC-143、HFC-245ca、HFC-263ca、HFC-338mf、HFC-356mff又はHFC-356mmz；236faE及びHFC-32、HFC-143、HFC-272ca、HFC-272fb又はHFC-281fa；又は245faEβγ及びHFC-356mff。
本発明の実質的に定沸点の共沸又は共沸様組成物は次の通りである（すべて25℃における）。
【００５０】
【表１】
2005226075.tif 000007
【００５１】
【表２】
2005226075.tif 000008
【００５２】
【表３】
2005226075.tif 000009
【００５３】
【表４】
2005226075.tif 000010
【００５４】
【表５】
2005226075.tif 000011
【００５５】
本発明の目的について、「有効量」とは本発明の組成物の各々の成分を組み合わせた場合、共沸又は共沸様組成物が形成される前記各々の成分の量と定義される。この定義は共沸又は共沸様組成物が異なる圧力下において、但し可能性として考えられる異なる沸点で存在し続ける限り、組成物に加えられる圧力のいかんにより変化することがある各々の成分の量を含む。
【００５６】
従って、有効量は本明細書に記述された以外の温度と圧力において共沸又は共沸様組成物を形成する本発明の組成物の各々の成分の、例えば重量％で表すことができる量を含む。
【００５７】
本発明の目的について、共沸性又は定沸点性とは事実上共沸性又は事実上定沸点性も意味するものとする。換言すると、上述の真の共沸混合物のみならず、同じ成分を異なる比率で含み、他の温度及び圧力において真の共沸混合物である他の組成物、並びに同じ共沸系の一部でありそしてその特性において共沸様混合物であるこれらの同等の組成物も又、これらの用語の意味に含めるものである。この技術分野でよく認識されていることであるが、冷凍やその他の適用のためほとんど同等の性質を示すのみならず、定沸点特性又は沸騰の際分離又は分別されない傾向の点からみても真の共沸混合物とほとんど同等の性質を示す共沸混合物と同じ成分を含む組成物の範囲というものがある。
【００５８】
選択する条件のいかんにより多くの外観で現れることのある定沸点混合物をいくつかの基準のいずれかにより事実上特徴付けることが可能である。すなわち：
＊  用語「共沸混合物」そのものが定義的且つ制限的であり、定沸点組成物であるこの特異な組成物についてのＡ、Ｂ、Ｃ(及びＤ‥‥）の有効量を必要とするところから、この組成物はＡ、Ｂ、Ｃ（及びＤ‥‥）の共沸混合物と定義することができる。
＊  異なる圧力においては所定の共沸混合物の組成は少なくともある程度変化し、そして圧力の変化は少なくともある程度沸点温度も変えることが当業者によく知られている。従って、Ａ，Ｂ，Ｃ（及びＤ‥‥）の共沸混合物は関係の唯一の型を表すが、温度及び／又は圧力により変化し得る混合物も含む。従って、固定した組成物よりむしろ組成物の範囲が共沸混合物を定義するためにしばしば使用される。
＊  組成はＡ、Ｂ、Ｃ（及びＤ‥‥）の特定の重量パーセントの関係又はモルパーセントの関係として定義することができるが、一方、そのような特定の値は一つの特別の関係のみを示しており、そして実際には、所定の共沸混合物について、圧力の影響により変化するＡ、Ｂ、Ｃ（及びＤ‥‥）により表される一連のそのような関係が現実に存在する。
＊  Ａ、Ｂ、Ｃ（及びＤ‥‥）の共沸混合物は組成物を所定の圧力における沸点によって特徴付けられる共沸混合物と定義することにより特徴を表すことができ、従って、利用可能な分析装置によって制限されそしてそれによってのみ決まる精度の特定の数字組成によって本発明の範囲を不当に制限されることなく同一性確認の特長点とすることができる。
【００５９】
本発明の共沸又は共沸様組成物は所望の量を混合又併用することを含む任意の慣用的な方法により製造することができる。好ましい方法は所望の成分の量を秤量し、次にそれらを適当な容器で混ぜることである。
【００６０】
温室ガス放出について、すべての関連する要因を単一の地球温暖化ポテンシャルに組み合わせるために普遍的に受け入れられる方法論はない。化合物の温室効果を定義する一つの方法は既知の標準に関連して地球温暖化を高める能力を測定することである。本発明に
おいて、数種のフルオロエーテル及びHFCのハロカーボン地球温暖化ポテンシャル（HGWP）を既知の評価方法を使用して求めた。
【００６１】
HGWPは大気中のガスの寿命を超えるガスの放出の結果生じる漸増放射温暖化の同量の基準ガスCFC-11の放出の結果生じる温暖化の計算値に対する比と定義され、このCFC-11は1.0のHGWPを持つ。HGWPの計算はFisher等、「地球温暖化に対するCFC及びそれらの代替物質の相対的効果についてのモデル計算（Model Calculations on the Relative Effects of CFCs and their Replacements on GlobalWarming)」，Nature (1990年), 344巻, 513〜516ページで論議されており、この文献は参照により本明細書に組み入れる。
【００６２】
HFCのHGWPはHFCにそのHGWPより低いHGWPを持つフルオロエーテルを添加することにより低めることができ、そのためHFC及びフルオロエーテルの組成物がHFCのHGWPより低いHGWPを持つことを発見した。従って、本発明はヒドロフルオロカーボンを含む第一の成分及び第一の成分のHGWPより低いHGWPを持つフルオロエーテルを含む第二の成分の組成物に関し、それによりこの組成物のHGWPは第一の成分のHGWPより低い。
【００６３】
本発明の範囲には単一のHFCに添加した単一のフルオロエーテル化合物、並びに２つ又はそれより多いHFCに添加した単一のフルオロエーテルを含む。さらに、本発明は単一のHFCに添加した１つ又はそれより多いフルオロエーテルの混合物、並びに２つ又はそれより多いHFCの混合物に添加した１つ又はそれより多いフルオロエーテルの混合物を含む。
【００６４】
成分Ａ及びＢの組成物のHGWPは［Ａの組成分数(fractionalcomposition)］×［ＡのHGWP］＋［Ｂの組成分数］×［ＢのHGWP］に等しい。２つより多い成分の組成物のHGWPは同じように、すなわち成分の組成分数にそのHGWPを掛け、次いですべての成分のHGWP分数を足すことにより求めることができる。
【００６５】
本発明を例証する特定の実施例を下に示す。特記しない限りすべてのパーセントは重量基準によるものとする。これらの実施例は単に例証するためのものであって、決して本発明の範囲を制限するものと解釈すべきではない。実施例に示すすべての値は＋／−５パーセントである。
【実施例】
【００６６】
実施例１
相研究
25℃の定温で組成を変え、そして蒸気圧を測定する相研究は、次の組成物が共沸性であることを示している。
【００６７】
【表６】
2005226075.tif 000012
【００６８】
【表７】
2005226075.tif 000013
【００６９】
【表８】
2005226075.tif 000014
【００７０】
【表９】
2005226075.tif 000015
【００７１】
実施例２
25℃における蒸気圧に対する蒸気漏れの影響
容器に25℃で当初の組成物を充填し、そして組成物の蒸気圧を測定する。組成物を容器から漏出させ、当初の組成物の50重量％が除去されるまでの間、温度を25℃で一定に保ち、その時容器に残存する組成物の蒸気圧を測定する。その結果を下表に示す。
【００７２】
【表１０】
2005226075.tif 000016
【００７３】
【表１１】
2005226075.tif 000017
【００７４】
【表１２】
2005226075.tif 000018
【００７５】
【表１３】
2005226075.tif 000019
【００７６】
【表１４】
2005226075.tif 000020
【００７７】
【表１５】
2005226075.tif 000021
【００７８】
【表１６】
2005226075.tif 000022
【００７９】
【表１７】
2005226075.tif 000023
【００８０】
【表１８】
2005226075.tif 000024
【００８１】
【表１９】
2005226075.tif 000025
【００８２】
【表２０】
2005226075.tif 000026
【００８３】
【表２１】
2005226075.tif 000027
【００８４】
【表２２】
2005226075.tif 000028
【００８５】
【表２３】
2005226075.tif 000029
【００８６】
【表２４】
2005226075.tif 000030
【００８７】
【表２５】
2005226075.tif 000031
【００８８】
【表２６】
2005226075.tif 000032
【００８９】
【表２７】
2005226075.tif 000033
【００９０】
【表２８】
2005226075.tif 000034
【００９１】
【表２９】
2005226075.tif 000035
【００９２】
【表３０】
2005226075.tif 000036
【００９３】
【表３１】
2005226075.tif 000037
【００９４】
【表３２】
2005226075.tif 000038
【００９５】
【表３３】
2005226075.tif 000039
【００９６】
【表３４】
2005226075.tif 000040
【００９７】
実施例３
冷媒性能
下表は種々の組成物の冷媒性能を示す。特記した場合を除き、データは次の条件によった。
蒸発機温度            45.0°F（7.2℃）
コンデンサー温度     130.0°F（54.4℃）
過冷却(subcool)温度   15°F
戻りガス温度          65.0°F（18.3℃）
コンプレッサー効率は75％である。
【００９８】
【表３５】
2005226075.tif 000041
【００９９】
【表３６】
2005226075.tif 000042
【０１００】
【表３７】
2005226075.tif 000043
【０１０１】
【表３８】
2005226075.tif 000044
【０１０２】
【表３９】
2005226075.tif 000045
【０１０３】
【表４０】
2005226075.tif 000046
【０１０４】
【表４１】
2005226075.tif 000047
【０１０５】
【表４２】
2005226075.tif 000048
【０１０６】
【表４３】
2005226075.tif 000049
【０１０７】
【表４４】
2005226075.tif 000050
【０１０８】
【表４５】
2005226075.tif 000051
【０１０９】
【表４６】
2005226075.tif 000052
【０１１０】
【表４７】
2005226075.tif 000053
【０１１１】
【表４８】
2005226075.tif 000054
【０１１２】
【表４９】
2005226075.tif 000055
【０１１３】
【表５０】
2005226075.tif 000056
【０１１４】
【表５１】
2005226075.tif 000057
【０１１５】
【表５２】
2005226075.tif 000058
【０１１６】
【表５３】
2005226075.tif 000059
【０１１７】
【表５４】
2005226075.tif 000060
【０１１８】
【表５５】
2005226075.tif 000061
【０１１９】
【表５６】
2005226075.tif 000062
【０１２０】
【表５７】
2005226075.tif 000063
【０１２１】
【表５８】
2005226075.tif 000064
【０１２２】
【表５９】
2005226075.tif 000065
【０１２３】
【表６０】
2005226075.tif 000066
【０１２４】
【表６１】
2005226075.tif 000067
【０１２５】
【表６２】
2005226075.tif 000068
【０１２６】
【表６３】
2005226075.tif 000069
【０１２７】
【表６４】
2005226075.tif 000070
【０１２８】
【表６５】
2005226075.tif 000071
【０１２９】
実施例４
下表は種々の組成物の冷媒性能を示す。データは次の条件によった。
蒸発機温度         40.0°F（4.4℃）
コンデンサー温度  100.0°F（37.8℃）
コンプレッサー効率は75％である。
戻りガス温度       60.0°F
【０１３０】
【表６６】
2005226075.tif 000072
【０１３１】
【表６７】
2005226075.tif 000073
【０１３２】
【表６８】
2005226075.tif 000074
【０１３３】
【表６９】
2005226075.tif 000075
【０１３４】
【表７０】
2005226075.tif 000076
【０１３５】
【表７１】
2005226075.tif 000077
【０１３６】
【表７２】
2005226075.tif 000078
【０１３７】
【表７３】
2005226075.tif 000079
【０１３８】
【表７４】
2005226075.tif 000080
【０１３９】
【表７５】
2005226075.tif 000081
【０１４０】
【表７６】
2005226075.tif 000082
【０１４１】
【表７７】
2005226075.tif 000083
【０１４２】
【表７８】
2005226075.tif 000084
【０１４３】
実施例５
下表は種々の組成物の冷媒性能を示す。データは次の条件によった。
蒸発機温度        10.0°F（−12.2℃）
コンデンサー温度  90.0°F（32.2℃）
戻りガス温度      30.0°F（−1.1℃）
コンプレッサー効率は75％である。
【０１４４】
【表７９】
2005226075.tif 000085
【０１４５】
【表８０】
2005226075.tif 000086
【０１４６】
【表８１】
2005226075.tif 000087
【０１４７】
【表８２】
2005226075.tif 000088
【０１４８】
実施例６
下表は種々の組成物の冷媒性能を示す。別記した場合を除き、データは次の条件によった。
蒸発機温度         40.0°F（4.4℃）
コンデンサー温度  100.0°F（37.8℃）
過冷却温度          0°F（−17.8℃）
戻りガス温度       40.0°F（12.8℃）
コンプレッサー効率は75％である。
【０１４９】
【表８３】
2005226075.tif 000089
【０１５０】
次の化合物は表示のHGWPを持つ（すべてのHGWP値はCFC-11=1.0を基準にする）。このHGWPはCFC-11のHGWPに対して次のように評価した。
HGWP=(IRabs(A)／IRabs.(CFC-11)×
(t(A)／t(CFC-11)×
(mass(CFC-11)／mass(A))
式中、Ａは分析するガスであり、
IRabs.は問題の領域、すなわちH2O及びCO2が吸収されない領域における全赤外吸収横断面であり、
ｔ＝大気圏での寿命であり、そして
mass＝原子量である。
【表８４】
2005226075.tif 000090
【０１５１】
フルオロエーテル及びHFCの組成物を表示のように製造し、そして表示のHGWPを示した。
【表８５】
2005226075.tif 000091
【０１５２】
共沸又は共沸様組成物を含む本発明の新規組成物は組成物を凝縮させ、次いで冷却すべき物体の付近で凝縮液を蒸発させることにより冷却を作るために使用することができる。又、新規組成物は加熱すべき物体の付近で冷媒を凝縮させ、その後冷媒を蒸発させることにより熱を作るために使用することもできる。
【０１５３】
冷却への適用の外に、本発明の新規の定沸点又は実質的に定沸点の組成物はエーロゾル噴射剤、伝熱媒体、ガス状誘電体、消火剤、ポリオレフィン及びポリウレタン用膨脹剤及び動力循環作動流体としても有用である。
【０１５４】
潤滑剤、腐蝕防止剤、安定剤、色素のような添加剤及び他の適当な材料は種々の目的のためにそれらが組成物の意図する適用について組成物に有害な影響を与えない限り、本発明の新規な組成物に添加することができる。好ましい潤滑剤は250より大きい分子量のエステルを含む。